(57)【要約】【課題】発熱部材の温度制御を適切に行うことを可能にした電子機器の構成を提供すること。【解決手段】第一の発熱部材（２００、３１１）と、第一の発熱部材（３１１）または第一の発熱部材（２００）と熱的に接続された接続部材（４２０）に取り付けられた蓄熱部材（９００）と、第一の発熱部材（３１１）または接続部材（４２０）が接続された回路基板（４００、３１０）と、を有し、前記蓄熱部材（９００）は、蓄熱動作温度（９０２）が第一の発熱部材（２００、３１１）の上限温度（２０２）よりも低く、第一の発熱部材（２００、３１１）の上限温度（２０２）に達する直前に、蓄熱動作が終了することを特徴とする。【選択図】図６
2020048138.tif 000002
【特許請求の範囲】
【請求項１】
第一の発熱部材と、
第一の発熱部材または第一の発熱部材と熱的に接続された接続部材に取り付けられた蓄熱部材と、
第一の発熱部材または接続部材が接続された回路基板と、
を有し、
前記蓄熱部材は、蓄熱動作温度が第一の発熱部材の上限温度よりも低く、第一の発熱部材の上限温度に達する直前に、蓄熱動作が終了することを特徴とする電子機器。
【請求項２】
前記回路基板に実装され、前記回路基板の温度を測定可能な第一の温度計と、
前記第一の温度計の測定した温度に基づいて、前記第一の発熱部材の動作を制御する制御部と、を有し、
前記制御部は、前記第一の温度計で測定した温度の上昇率（(ｄθ／ｄｔ)ｎ）が減少後、増加した時、前記第一の発熱部材の動作を停止または制限する第一の温度制御を行うことを特徴とする請求項１に記載の電子機器。
【請求項３】
前記第一の温度制御は、前記第一の温度計の測定温度が、第一の温度を超えた時に実施することを特徴とする請求項２に記載の電子機器。
【請求項４】
前記第一の温度制御は、前記第一の発熱部材が定常動作をしている場合に行うことを特徴とする請求項２又は３に記載の電子機器。
【請求項５】
第二の発熱部材を有し、
前記第一の温度制御は、前記第二の発熱部材が定常動作をしている場合に行うことを特徴とする請求項２乃至４のいずれか１項に記載の電子機器。
【請求項６】
前記第二の発熱部材は、前記回路基板に実装されていることを特徴とする請求項５に記載の電子機器。
【請求項７】
前記第一の発熱部材および前記第二の発熱部材が定常動作を行っているか否かの判断を、第一の温度計の温度測定間隔（Δｔ）あたりの発熱量（Ｑ）が一定であるか否かで行うことを特徴とする請求項５又は６に記載の電子機器。
【請求項８】
前記第一の発熱部材および前記第二の発熱部材の少なくともいずれか一方が定常動作をしていないと判断した場合、前記制御部は、前記温度計の測定温度が第二の温度を超えた時に第一の発熱部材の動作を停止または制限する第二の温度制御を行うことを特徴とする請求項５乃至７のいずれか１項に記載の電子機器。
【請求項９】
前記電子機器周辺の環境温度を測定する第二の温度計を有し、前記第二の温度計で測定された環境温度が一定である場合は前記第一の温度制御を行い、一定で無い場合は前記第二の温度制御を行うことを特徴とする請求項２乃至８のいずれか１項に記載の電子機器。
【請求項１０】
前記第一の発熱部材は動画像を記録可能な外部記録媒体であり、
前記接続部材は、記録媒体を装着可能なインターフェースであることを特徴とする請求項２乃至９のいずれか１項に記載の電子機器。
【請求項１１】
前記第一の発熱部材は、被写体の光学像を電気信号に変換した画像信号を取得するための撮像センサであることを特徴とする請求項２乃至９のいずれか１項に記載の電子機器。
【発明の詳細な説明】
【技術分野】
【０００１】
本発明は、電子機器に関し、特に電子機器の温度制御を行うための構成に関する。
【背景技術】
【０００２】
電子機器には、ＩＣや撮像センサ、外部記録媒体等、動作するための通電によって発熱し、この熱によって温度上昇する発熱部材が搭載されている。これらの発熱部材は、ある上限温度に達すると、破損する恐れ等があるため、発熱部材の温度が上限温度に達する前に発熱部材の動作を停止または制限を行う必要がある。
【０００３】
特許文献１には、外部記録媒体のインターフェース周辺の温度を測定し、その測定温度に基づいて、外部記録媒体へのアクセスを制限する技術が開示されている。
【先行技術文献】
【特許文献】
【０００４】
【特許文献１】特開２０１０−１４６０５７号公報
【発明の概要】
【発明が解決しようとする課題】
【０００５】
しかしながら、制御対象となる発熱部材の温度を、当該の発熱部材の周辺に配置した温度計で測定しようとしても、当該の発熱部材以外の発熱部材の発生させる熱エネルギーの影響を受け、温度計が当該の発熱部材の温度を正確に測定することができない場合がある。
【０００６】
従って、上述の特許文献に開示された従来技術で、適切な温度制御ができない場合が生じる可能性がある。
【０００７】
そこで、本発明の目的は、発熱部材の温度制御を適切に行うことを可能にした電子機器の構成を提供することにある。
【課題を解決するための手段】
【０００８】
上記の目的を達成するために、本発明に係る電子機器は、
第一の発熱部材と、
第一の発熱部材または第一の発熱部材と熱的に接続された接続部材に取り付けられた蓄熱部材と、
第一の発熱部材または接続部材が接続された回路基板と、
を有し、
前記蓄熱部材は、蓄熱動作温度が第一の発熱部材の上限温度よりも低く、第一の発熱部材の上限温度に達する直前に、蓄熱動作が終了することを特徴とする。
【発明の効果】
【０００９】
本発明によれば、発熱部材の温度制御を適切に行うことを可能にした電子機器の提供を実現できる。
【図面の簡単な説明】
【００１０】
【図１】本発明の実施形態に係るデジタルカメラの背面斜視図である。
【図２】図１に示すデジタルカメラにおいて、外部記録媒体が露出した状態を表す図である。
【図３】本発明の実施形態に係るデジタルカメラの分解斜視図である。
【図４】本発明の第一の実施例に係るデジタルカメラのシステム図である。
【図５】本発明の第一の実施例に係る画像処理基板をデジタルカメラの前面側から見た時の斜視図である。
【図６】本発明の実施形態に係る外部記録媒体と蓄熱部材の温度および第一の温度計の測定温度の時間変化を示す図である。
【図７】本発明の第一の実施例に係る画像処理基板における伝熱経路を模式的に表した図である。
【図８】本発明の実施形態に係る温度制御のフローチャートである。
【図９】本発明の実施形態に係る第一の温度制御のフローチャートである。
【図１０】本発明の実施形態に係る第一の温度制御の変形例のフローチャートである。
【図１１】本発明の実施形態に係る第二の温度制御のフローチャートである。
【図１２】本発明の実施形態に係る発熱部材が定常動作を行っている際の発熱量の時間変化を表す図である。
【図１３】本発明の実施形態に係る発熱部材が非定常動作を行っている際の発熱量の時間変化を表す図である。
【図１４】本発明の第二の実施例に係るデジタルカメラのシステム図である。
【図１５】本発明の第二の実施例に係る撮像ユニットの図３に示すＡ−Ａ断面における断面図である。
【図１６】本発明の第二の実施例に係る撮像基板における伝熱経路を模式的に表した図である。
【発明を実施するための形態】
【００１１】
以下に、本発明の好ましい実施の形態を、添付の図面に基づいて詳細に説明する。図１は、請求項に記載の電子機器１００の一例として示す、レンズ交換式のデジタルカメラ１００を示す。図１は、レンズを外した状態の背面斜視図である。
【００１２】
デジタルカメラ１００は、蓋１１０を有し、図１は蓋１１０が閉じた状態を示す図である。
【００１３】
蓋１１０は、図２に示すように開いた状態とすることができ、この状態の時、デジタルカメラ１００に装着された外部記録媒体２００が露出する。この状態とすることによって、使用者は外部記録媒体２００を取り外すことが可能となる。外部記録媒体２００は、デジタルカメラ１００で撮影した画像や動画を記録することが可能であり、外部記録媒体２００をデジタルカメラ１００から取り外すことによって、ＰＣなどの他の機器で、記録された画像や動画を参照することが可能となる。
【００１４】
図３は、デジタルカメラ１００の分解斜視図である。図３に示すように、撮像ユニット３００、画像処理基板４００、背面カバー１２０が順に、デジタルカメラ本体５００に取り付けられる。撮像ユニット３００と画像処理基板４００は、接続基板６００によって接続される。
【実施例１】
【００１５】
図４に、本発明の第一の実施例に係るデジタルカメラ１００のシステム図を示す。撮像ユニット３００は、撮像基板３１０を有しており、撮像基板３１０には撮像センサ３１１と信号変換部３１２が実装されている。撮像センサ３１０は、被写体像の光学像をアナログ信号の画像信号に変換することができる。信号変換部３１２は撮像センサから出力されたアナログ信号の画像信号をデジタル信号の画像信号に変換する。このデジタル信号の画像信号は、接続基板６００を介して、画像処理基板４００に実装されている画像処理部４１０に伝達される。画像処理部４１０は、デジタル信号の画像信号を画像データに変換する。変換された画像データは、画像処理基板４００に実装されたインターフェース４２０を介して、外部記録媒体２００に書き込まれ、保存される。
【００１６】
インターフェース４２０は、外部記録媒体２００を脱着可能であり、画像処理基板４００内で生成される種々の信号を外部記録媒体２００に伝達する役割を有する。
【００１７】
第一の実施例は、外部記録媒体２００およびインターフェース４２０を、それぞれ請求項に記載の第一の発熱部材２００および接続部材４２０として扱った場合を示す。従って、第一の実施例の画像処理基板４００は、請求項に記載の回路基板４００に対応する。また、第一の実施例においては、請求項に記載の第二の発熱部材４１０の一例として、画像処理部４１０を示しているが、これに限定されるものではない。
【００１８】
第一の温度計７００は、画像処理基板４１０に実装され、画像処理基板４１０の第一の温度計７００が実装されている場所の温度を測定する。第二の温度計８００はデジタルカメラ１００の周辺の環境温度を測定するために、デジタルカメラ１００の内部に配置されている。
【００１９】
制御部４３０は、画像処理基板４１０に実装され、第一の温度計７００および第二の温度計８００の測定温度や外部記録媒体２００および撮像センサ３１１、信号変換部３１２、画像処理部４１０の動作状況に基づいて、外部記録媒体２００および撮像センサ３１１、信号変換部３１２、画像処理部４１０の動作を制御する。
【００２０】
図５は、画像処理基板４００をデジタルカメラ１００の前面側から見た時の斜視図である。画像処理基板４００上には、画像処理部４１０、インターフェース４２０、制御部４３０、第一の温度計７００がそれぞれ、図５に示す位置に配置されている。ここで、図５は、インターフェース４２０に外部記録媒体２００が挿入された状態を示している。
【００２１】
インターフェース４２０には、蓄熱部材９００が貼付されている。蓄熱部材９００をインターフェース４２０に貼付する際には、両面テープや接着剤等を用いる。蓄熱部材９００は、例えば微小な中空のカプセル内部に融点の低い物質を封入し、このカプセルを樹脂材料等に包含させ、成形した部材である。
【００２２】
図６に、蓄熱部材９００の温度上昇曲線９０１の一例を示す。この蓄熱部材９００の温度上昇曲線９０１は、蓄熱部材９００に一定の量の熱エネルギーが流入した場合の、蓄熱部材９００の温度の時間変化を表したものである。蓄熱部材９００に熱エネルギーが流入し始めると、まず、通常の材料と同様に、時間の経過とともに蓄熱部材９００の温度が上昇する。次に、蓄熱部材９００の温度が、蓄熱部材９００の蓄熱動作温度９０２に達したタイミング９０３で、蓄熱部材９００への蓄熱が開始される。この時の温度は、蓄熱動作温度９０２で一定となる。これは、蓄熱部材９００の内部では、カプセル内部に封入された物質が融解し、この融解熱で蓄熱部材９００に流入した熱エネルギーが吸収され、蓄熱部材９００の温度上昇に寄与する熱エネルギーが一時的に無くなるためである。以上のことから明らかなように、蓄熱材料９００の蓄熱動作温度９０２は、カプセル内部に封入された物質の融解温度と等しい。カプセル内部に封入された物質がすべて融解し、蓄熱が終わるタイミング９０４以降、蓄熱材料９００の温度は再度上昇し、通常の材料と同様の温度上昇曲線を描く。
【００２３】
図７は、画像処理基板４００における伝熱経路を模式的に表した図である。本実施例における第一の発熱部材である外部記録媒体２００で発生した熱エネルギーは、まずインターフェース４２０に流入する。次に、このインターフェース４２０に流入した熱エネルギーは、画像処理基板４００内部を経由して、第一の温度計７００に流入するとともに、インターフェース４２０に貼付された蓄熱部材９００にも流入する。一方で、本実施例における第二の発熱部材である画像処理部４１０で発生した熱エネルギーも、画像処理基板４００内部を経由して、第一の温度計７００に流入する。従って、第一の温度計７００の測定する温度は、外部記録媒体２００と画像処理部４１０の両者で発生する熱エネルギーの量に依存して変化することとなる。一方、蓄熱部材９００には、画像処理部４１０で発生した熱エネルギーはほとんど流入せず、外部記録媒体２００で発生した熱エネルギーだけが主に流入する。従って、外部記録媒体２００と蓄熱部材９００の温度の相関性は高いと言える。
【００２４】
外部記録媒体２００は、超過すると外部記録媒体２００に破損等が生じる恐れのある上限温度２０２を有する。蓄熱部材９００の蓄熱動作温度９０２は、この外部記録媒体２００の上限温度２０２よりも低くすると良い。蓄熱部材９００は、図７に示す通り、外部記録媒体２００で発生した熱エネルギーが流入することによって温度上昇する。従って、外部記録媒体２００の温度よりも蓄熱部材９００の温度の方が常に低くなる。従って、外部記録媒体２００の上限温度２０２よりも蓄熱部材９００の蓄熱動作温度９０２を低く設定することによって、外部記録媒体２００の温度が上限温度２０２に達する前に、蓄熱部材９００の蓄熱動作を開始させることができる。これによって、外部記録媒体２００で発生した熱エネルギーの一部を蓄熱部材９００に蓄熱させることができるため、外部記録媒体２００の温度が上限温度２０２に達するまでの時間を延ばすことができる。
【００２５】
第一の温度計７００はインターフェース４２０の近傍に配置するのが好ましい。このような構成とすることによって、図７に示す外部記録媒体２００で発生した熱エネルギーが第一の温度計７００に流入しやすくなり、外部記録媒体２００の温度と第一の温度計７００の測定温度の相関性が向上する。従って、第一の温度計７００の測定温度を基に外部記録媒体２００の動作を制御部４３０で制御する際、より適切な制御が可能となる。
【００２６】
図６に、本実施例における外部記録媒体２００の温度上昇曲線２０１と第一の温度計７００の測定温度の上昇曲線７０１，７０２を示す。これらは、外部記録媒体２００や画像処理部４１０の動作が定常であり、これらの発熱量が一定の場合の曲線である。第一の温度計７００の測定温度の上昇曲線７０１，７０２は、外部記録媒体２００の温度上昇曲線２０１が等しい場合において、画像処理部４１０の発熱量がそれぞれ小さい場合と大きい場合を示した曲線である。図６に示すように、外部記録媒体２００の温度上昇が同じであっても、画像処理部４１０の発熱量によって、第一の温度計７００の測定温度は変化する。
【００２７】
外部記録媒体２００の温度上昇曲線２０１と第一の温度計７００の測定温度の上昇曲線７０１，７０２は、蓄熱部材９００が蓄熱を開始するタイミング９０３以降、温度上昇が鈍化し、単位時間当たりの上昇温度の大きさである温度上昇率ｄθ／ｄｔが減少する。これは、蓄熱部材９００に熱エネルギーが蓄積されることによって、第一の温度計７００に流入する熱エネルギーが一時的に減少するためである。そして、蓄熱部材９００の蓄熱が終わるタイミング９０４以降で再度、温度上昇が急峻となり、温度上昇率ｄθ／ｄｔが増加する。蓄熱部材９００に蓄熱されることで、第一の温度計７００に流入していなかった熱エネルギーが、再度第一の温度計７００に流入し始めるためである。
【００２８】
通常、発熱量が一定の場合、時間の経過とともに温度が上昇するため、周辺との温度差が拡大していき、周辺に流出する熱エネルギーの量が増加する。これに伴い温度上昇に寄与する熱エネルギーの量が減少していくため、温度上昇率ｄθ／ｄｔは減少し続けていく。しかし、本実施例に示すように蓄熱部材９００を用いることにより、温度上昇率ｄθ／ｄｔが一旦減少後、再度増加するという温度上昇曲線となる。
【００２９】
図８は、制御部４３０で行う温度制御のフローチャートである。説明の都合上、まずＳ１４で実施する第一の温度制御、およびＳ１５で実施する第二の温度制御について説明する。
【００３０】
図９は、図８のＳ１４で実施する第一の温度制御のフローチャートである。制御部４３０はまず、Ｓ２１で初期値の設定を行い、Ｓ２２で第一の温度計７００の初期温度θ０を測定する。Ｓ２３で測定回数ｎを更新し、Ｓ２４では第一の温度計７００の温度θｎを測定する。次にＳ２５では、図９で示す計算式に従って、温度上昇率（ｄθ／ｄｔ）ｎを算出しする。Ｓ２６では算出した温度上昇率（ｄθ／ｄｔ）ｎと一つ前の温度上昇率（ｄθ／ｄｔ）ｎ−１とを比較し、温度上昇率（ｄθ／ｄｔ）ｎが一つ前の温度上昇率（ｄθ／ｄｔ）ｎ−１より小さい時はＳ２２に戻り、大きい時はＳ２７に進む。
Ｓ２７では、第一の発熱部材である外部記録媒体２００の動作を停止または制限する制御を行う。このような制御とすることによって制御部４３０は、第一の温度計７００で測定した温度の上昇率ｄθ／ｄｔが減少後、増加した時に第一の発熱部材である外部記録媒体２００の動作を停止または制限するという制御を行うこととなる。第一の温度計７００の測定温度の上昇が鈍化するタイミング９０３、および第一の温度計７００の測定温度の上昇率が再度増加するタイミング９０４は、画像処理部４１０の発熱量にほとんど依存せず、外部記録媒体２００の温度と相関関係がある。これは、これらのタイミング９０３、９０４がそれぞれ蓄熱部材９００の蓄熱動作の開始と終了のタイミングに依存し、さらに蓄熱部材９００の温度は、前述の通り、画像処理部４１０の発熱量にはほとんど依存せず、主に外部記録媒体２００の発熱量にだけ依存し変化するためである。従って、外部記録媒体２００の動作を、第一の温度計７００で測定した温度の上昇率ｄθ／ｄｔで制御することによって、画像処理部４１０の発熱量に影響されず、外部記録媒体２００の温度に従った適切な制御が可能となる。
【００３１】
ここで、蓄熱部材９００の蓄熱動作が、外部記録媒体２００の上限温度２０２に達する直前に終了するように、蓄熱部材９００の蓄熱動作温度９０２を設定することが望ましい。第一の温度制御のように、外部記録媒体２００の動作の停止や制限を第一の温度計７００の測定温度の温度上昇率ｄθ／ｄｔで制御する場合、このような設定とすることによって、外部記録媒体２００の動作の停止や制限を実施するまでの時間を最大限に伸ばすことができ、例えばデジタルカメラ１００で動画を撮影する場合の連続撮影時間を最大化できる。
【００３２】
図１０に示すように、図９に示すフローチャートの動作のＳ２４とＳ２５の間に、第一の温度計７００の測定温度θｎが第一の温度θＳ７０３を超えているか否かを判断するＳ３１を追加してもよい。第一の温度θＳ７０３は、図６に示す画像処理部４１０の発熱量が小さい場合の第一の温度計の測定温度の上昇曲線７０１においても、蓄熱部材９００が蓄熱を開始するタイミング９０３よりも前に達する温度に設定する。第一の温度計７００の測定温度の上昇曲線７０１、７０２は、デジタルカメラ１００の周辺の環境温度の変化等、不測の外乱によって、温度の上昇率が減少後、増加する場合がある。この際に、外部記録媒体２００の動作が停止または制限されてしまう誤動作が発生する懸念がある。しかし、Ｓ３１を実施することによって、第一の温度計７００の測定温度が第一の温度θＳ７０３に達する前に不測の外乱が生じても、誤動作の発生を防ぐことができる。
【００３３】
図１１は、図８のＳ１５で実施するに第二の温度制御である。第二の温度制御は、Ｓ４１第一の温度計７００で温度θを測定する。Ｓ４２で、この測定した温度θｎと第二の温度θＴとを比較し、測定した温度θｎが第二の温度θＴより大きい場合Ｓ４３に進み、小さい場合Ｓ４１に戻る。第二の温度θＴは、図６に示すように、外部記録媒体２００の温度が上限温度２０２に達するタイミング２０３の直前のタイミング９０４で、画像処理部４１０の発熱量が小さい場合の第一の温度計７００の測定温度７０１が達する温度に設定する。Ｓ４３に進む場合、第一の発熱部材である外部記録媒体２００の動作を停止または制限する制御を行う。このような温度制御を行うことによって、外部記録媒体２００の温度が上限温度２０２に達しないように制御をすることが可能となる。
【００３４】
制御部４３０は、図８に示すフローチャートに従って、図８、９に示す第一の温度制御と図１０に示す第二の温度制御のどちらを実施するかを選択する。まずＳ１１、Ｓ１２で第一の発熱部材である外部記録媒体２００および、第二の発熱部材である画像処理部４１０が定常動作をしているか否かを判定する。
【００３５】
外部記録媒体２００および画像処理部４１０は、動作状態によって発熱量Ｑが変化する。図１２および図１３は、この発熱量Ｑの時間変化の一例を示した図である。図１２、１３に示すΔｔは、第一の温度計７００の温度測定間隔であり、破線７０５は温度の測定タイミングを示す。図１２に示す発熱量Ｑの時間変化は、図から明らかなように、測定タイミング間毎に同一の変化をしており、温度測定間隔Δｔあたりの発熱量は測定タイミング間毎では一定である。一方、図１３に示す発熱量Ｑの時間変化では、測定タイミング間毎に異なる変化をしており、温度測定間隔Δｔあたりの発熱量Ｑが、測定タイミング間毎に変化している。制御部４３０は、図１２に示すような第一の温度計７００の温度測定間隔Δｔあたりの発熱量Ｑが一定である場合を、外部記録媒体２００および画像処理部４１０等の発熱部材が定常動作をしていると判断する。一方、図１３に示すような第一の温度計７００の温度測定間隔Δｔあたりの発熱量Ｑが変化する場合を、外部記録媒体２００および画像処理部４１０等の発熱部材が定常動作をしていないと判断する。ここで、制御部４３０は、発熱量Ｑの変化を、例えば電流量の変化や実行されているプログラムが何であるか等で推定するようにしてもよい。
【００３６】
Ｓ１１およびＳ１２において、第一の発熱部材である外部記録媒体２００または第二の発熱部材である画像処理部４１０が定常動作をしていないと判断した場合、Ｓ１５に進み、第二の温度制御を実施する。定常動作をしていない場合、発熱量Ｑが減少したタイミングで第一の温度計７００の測定温度が低下する等、図６に示すような温度上昇とはならず、温度上昇率（ｄθ／ｄｔ）ｎを利用する第一の温度制御で温度制御を行うことは不適切である。従って、測定温度θを利用する第二の温度制御を行うことが適切である。
【００３７】
Ｓ１１およびＳ１２において、第一の発熱部材である外部記録媒体２００または第二の発熱部材である画像処理部４１０が定常動作をしていると判断した場合、Ｓ３３に進む。Ｓ３３では、デジタルカメラ１００の周辺の環境温度を測定する第二の温度計８００の測定温度が、略一定であるか否かを判断する。略一定であると判断した場合は、Ｓ１４に進み、第一の温度制御を実施し、略一定ではないと判断した場合は、Ｓ１５に進み第二の温度制御を実施する。例えば、室内から室外に移動した場合等、デジタルカメラ１００の周辺の環境温度が大きく変化する場合、第一の温度計７００の測定温度も環境温度の影響を受け変化する。従って、図６に示すような温度上昇とはならない可能性があり、温度上昇率（ｄθ／ｄｔ）ｎを利用する第一の温度制御で温度制御を行うことは不適切である。従って、第二の温度計８００で環境温度を測定し、環境温度が一定でない場合は、測定温度θを利用する第二の温度制御を行うことが適切である。
【００３８】
第二の温度制御は、前述の通り第二の発熱部材である画像処理部４１０の発熱量の影響を受ける。第二の温度θＴは、画像処理部４１０の発熱量が小さい場合に合わせて設定されるため、画像処理部４１０の発熱量が大きい場合７０２、外部記録媒体２００の温度が上限温度２０２に達するタイミング２０３よりもかなり前に、第一の温度計７００の測定温度が第二の温度θＴ７０４に達するタイミング９０５となってしまう。従って、外部記録媒体２００の動作を非常に早いタイミングで停止または制限しなければならない。以上の事から、第一の発熱部材である外部記録媒体２００および第二の発熱部材である画像処理部４１０が定常動作をしており、環境温度が略一定である第一の温度制御が適切に行える環境下においては、画像処理部４１０の発熱量の影響を受けにくい第一の温度制御を行うのが好ましい。
【００３９】
以上のことから、図１１に示すフローチャートに従って、第一の温度制御と第二の温度制御のどちらを行うか判断することが好適であると言える。
【実施例２】
【００４０】
第二の実施例についての以下の説明では、上記第一の実施例との相違点を中心に説明することとし、上記第一の実施例と同一の内容については説明を省略する。
【００４１】
図１４は、第二の実施例に関わるデジタルカメラ１００のシステム図を示す。第二の実施例は、撮像センサ３１１を、請求項に記載の第一の発熱部材３１１として扱った場合を示す。従って、第二の実施例の撮像基板３１０は、請求項に記載の回路基板３１０に対応する。また、第二の実施例においては、請求項に記載の第二の発熱部材３１２の一例として、信号変換部３１２を示しているが、これに限定されるものではない。
【００４２】
第二の実施例においては、第一の温度計７００が撮像基板３１０に実装され、撮像基板３１０の第一の温度計７００が実装されている場所の温度を測定する。測定された温度は、接続基板６００を経由し、制御部４３０に伝達され、制御部４３０が実施する温度制御に用いられる。
【００４３】
図１５は、図３に示すＡ−Ａ断面における撮像ユニット３００の断面図である。図１４においては、説明の簡略化のため一部の部品を不図示としている。撮像基板３１０には、撮像センサ３１１、信号変換部３１２、第一の温度計７００が、それぞれ図１５に示す位置に実装されている。撮像センサ３１１には、蓄熱部材９００が貼付されている。
【００４４】
図１６は、撮像基板３００における伝熱経路を模式的に表した図である。第二の実施例においては、第一の実施例で外部記録媒体２００であった第一の発熱部材を撮像センサ３１１とし、画像処理部４１０であった第二の発熱部材を信号変換部３１２として考えることができる。撮像センサ３１１で発生した熱エネルギーは、基板内部を経由して、第一の温度計７００に流入するとともに、撮像センサ３１１に貼付された蓄熱部材９００にも流入する。一方で、信号変換部３１２で発生した熱エネルギーも、基板内部を経由して、第一の温度計７００に流入する。従って、第一の温度計７００の測定する温度は、撮像センサ３１１と信号変換部３１２の両者で発生する熱エネルギーの量に依存して変化することとなる。一方、蓄熱部材９００には、信号変換部３１２で発生した熱エネルギーはほとんど流入せず、撮像センサ３１１で発生した熱エネルギーだけが主に流入するため、撮像センサ３１１と蓄熱部材９００の温度の相関性は高いと言える。
【００４５】
第一の温度計７００は、図１５に示すように、撮像センサ３１１の近傍に配置すると良い。このような配置とすることによって、撮像センサ３１１で発生した熱エネルギーが第一の温度計７００に流入する経路が太くなり、撮像センサ３１１と第一の温度計７００の測定温度の相関性が向上する。従って、第一の温度計７００の測定温度を基に撮像センサ３１１の動作を制御部４３０で制御する際、より適切な制御が可能となる。
【００４６】
撮像センサ３１１は、超過すると撮像センサ３１１で撮像された画像に多くのノイズが生じる等の恐れのある上限温度を有する。この上限温度を、第一の実施例に示す外部記録媒体２００の上限温度２０２と同様に扱い、第一の実施例に示すように、蓄熱部材９００の蓄熱動作温度９０２を設定する。そして、前述の通り、第一の実施例で外部記録媒体２００であった第一の発熱部材を撮像センサ３１１とし、画像処理部４１０であった第二の発熱部材を信号変換部３１２として扱い、制御部４３０で温度制御を行うことによって、撮像センサ３１１の適切な温度制御が可能となる。
【００４７】
以上、本発明の好ましい実施形態について説明したが、本発明はこれらの実施形態に限定されず、その要旨の範囲内で種々の変形及び変更が可能である。
【符号の説明】
【００４８】
１００  デジタルカメラ、２００  外部記録媒体、
２０２  外部記録媒体の上限温度、３１０  撮像基板、３１１  撮像センサ、
４００  画像処理基板、４２０  インターフェース、９００  蓄熱部材、
９０２  蓄熱部材の蓄熱動作温度
【図１】
2020048138.tif 000003
【図２】
2020048138.tif 000004
【図３】
2020048138.tif 000005
【図４】
2020048138.tif 000006
【図５】
2020048138.tif 000007
【図６】
2020048138.tif 000008
【図７】
2020048138.tif 000009
【図８】
2020048138.tif 000010
【図９】
2020048138.tif 000011
【図１０】
2020048138.tif 000012
【図１１】
2020048138.tif 000013
【図１２】
2020048138.tif 000014
【図１３】
2020048138.tif 000015
【図１４】
2020048138.tif 000016
【図１５】
2020048138.tif 000017
【図１６】
2020048138.tif 000018